(57)【要約】【課題】インターホンの親機が呼出音を鳴動する際に、呼出音周波数と呼出音量の双方を制御するために、呼出音周波数を矩形波で出力するとともに、呼出音量に応じた出力レベルでＡＤ出力する機能を有する高価なＣＰＵが必要となる。【解決手段】呼出音周波数をＰＷＭ制御するインターホンＣＰＵが、呼出音量を可聴域よりも高い周波数のＰＷＭ制御によりデューティ比を可変し、デューティ比の減少で音量を減少させることにより、呼出音量と呼出音周波数を同時に制御することができる。【選択図】図１
2013046237.tif 000002
【特許請求の範囲】
【請求項１】
他の機器を呼び出すための呼出部を有する子機と、前記子機からの呼出を検知する親機ＣＰＵと、前記子機からの呼出を報知する親機スピーカを有する親機と、を備えたインターホン装置において、
前記ＣＰＵは、ＰＷＭ（Ｐｕｌｓｅ  Ｗｉｄｔｈ  Ｍｏｄｕｌａｔｉｏｎ）方式により、キャリア周波数の整数倍の振幅を有するパルス信号（１００ＫＨｚ〜１００ＭＨｚ）のデューティ比を変化させることで呼出音信号の音量を決定するための第１の振幅を調整するとともに、ＰＷＭ方式で呼出音の周波数（５００Ｈｚ〜１０００Ｈｚ）を決定するための第２の振幅を調整することにより、１つの回路で呼出音量と呼出音周波数を同時に調整するＰＷＭ制御部を有することを特徴とするインターホン装置。
【請求項２】
前記ＣＰＵは、呼出音種別信号を受信した後、その種別に応じた周波数、鳴動間隔等を有する呼出音信号を生成することが可能である呼出音種別決定部を有することを特徴とする請求項１記載のインターホン装置。
【請求項３】
前記ＣＰＵは、昼間、夜間等の時間情報信号を取得し、その時間情報に応じてデューティ比を変化させ、呼出音信号の音量を変化させることができる呼出音量決定部を有することを特徴とする請求項１または請求項２記載のインターホン装置。
【発明の詳細な説明】
【技術分野】
【０００１】
本発明はインターホン装置に係り、特に、ＣＰＵを用いた呼出音生成方式に関する。
【背景技術】
【０００２】
従来からインターホン装置として、呼出音生成をＤ／Ａ（デジタル／アナログ変換）方式やラダー抵抗回路方式、あるいは専用回路を用いて行っていた。例えば、文献１において、親機Ａは音声制御部１６ａでは、呼出情報の情報を受け取ると呼出音を生成して第１のコーデック部１９のＤ／Ａコンバータ１９ｂに出力してスピーカ１１から呼出音を鳴らす技術が開示されている。
【先行技術文献】
【特許文献】
【０００３】
【特許文献１】特開２００５−２１７５４０号公報
【発明の概要】
【発明が解決しようとする課題】
【０００４】
しかしながら、従来のインターホン装置での呼出音生成の方式であると、Ｄ／Ａ方式では、Ｄ／Ａ機能を持った高価なＣＰＵを使用したり、Ｄ／Ａ機能を持ったＩＣを別途使用する必要があり、コスト面でデメリットが発生する。
【０００５】
また、ラダー抵抗回路方式や専用回路を用いた場合は別途回路が必要となるため、部品点数及び基板面積の増加の要因となっていた。
【課題を解決するための手段】
【０００６】
本発明は、上述の難点を解消するためになされたもので、ＰＷＭ（Ｐｕｌｓｅ  Ｗｉｄｔｈ  Ｍｏｄｕｌａｔｉｏｎ）方式により、パルス信号（１００ＫＨｚ〜１００ＭＨｚ）のデューティ比を変化させることで呼出音信号の音量を決定するための第１の振幅を調整するとともに、ＰＷＭ方式で呼出音の周波数（５００Ｈｚ〜１０００Ｈｚ）を決定するための第２の振幅を調整することにより、１つの回路で呼出音量と呼出音周波数の同時調整を実現するＰＷＭ制御部を有し、低コストで呼出音量及び呼出周波数生成の方式の汎用性を広げることを目的としている。
【０００７】
また、ＣＰＵは、呼出音種別信号を受信した後、その種別に応じた周波数、鳴動間隔等を有する呼出音信号を生成する呼出音種別決定部を有し、低コストで複数の種別の呼出音に対応することができる。
【０００８】
また、ＣＰＵは、昼間、夜間等の時間情報信号を取得し、その時間情報に応じてデューティ比を変化させ、呼出音信号の音量を変化させることができる呼出音量決定部を有し、低コストで呼出音の音量調整に対応することができる。
【発明の効果】
【０００９】
請求項１のインターホン装置によれば、ＰＷＭ方式により１つのＣＰＵで呼出音周波数と呼出音量を調整できるため、呼出音生成の汎用性が広がるとともに、ＣＰＵにＤ／Ａ等の特殊機能が不要となり、コストを低減することができる。
【００１０】
請求項２のインターホン装置によれば、呼出音種別信号を用いることで種別に応じた呼出音信号の生成が可能であり、追加となるハードウェアを必要とせず、ソフトウェアの追加のみで各種呼出音信号を発生させることができる。
【００１１】
請求項３のインターホン装置によれば、夜間等の時間情報信号を用いることでその時間情報に応じて呼出音の音量を変化させることができる。例えば夜間等呼出音の音量を小さくしたい場合に、追加となるハードウェアを必要とせず、呼出音量調整が可能となる。
【図面の簡単な説明】
【００１２】
【図１】図１は、本発明の実施例によるインターホン装置を示すブロック図である。
【図２】図２は、本発明の実施例により生成された呼出音信号の波形図である。
【図３】図３は、本発明の実施例により生成された図２の呼出音信号の１周期の拡大図である。
【発明を実施するための形態】
【００１３】
以下、本発明のインターホン装置を適用して、親機にて呼出音を鳴動するための最良の実施の形態例について、図面を参照して説明する。
【実施例１】
【００１４】
図１は、本発明の第１の実施例によるインターホン装置のブロック図であり、一例として室内に設置された親機１と玄関に設置された子機２から構成され、子機２には親機１を呼び出すための呼出ボタン２７と、親機と通話するための子機マイク２１及び子機スピーカ２２と親機との音声信号を授受するための子機伝送部２６とを有している。
【００１５】
親機１には子機２からの呼出を報知するとともに子機２と通話するための親機マイク１１及び親機スピーカ１２と、子機２を選局するとともに子機２からの呼出信号に応じて通話を開始する操作部１６と、親機１の各部を制御するとともに、呼出を報知するための呼出音を生成するＣＰＵ１３を有している。
【００１６】
また、ＣＰＵ１３の内部には、呼出音種別信号を受信した後、その種別に応じた周波数、鳴動間隔等を有する呼出音信号を生成する呼出音種別決定部１３１と、昼間、夜間等の時間情報信号を取得し、その時間情報に応じてデューティ比を変化させ、呼出音信号の音量を変化させることができる呼出音量決定部１３２を有している。
【００１７】
以下、動作について説明する。
【００１８】
インターホンの発呼者が子機２の呼出ボタン２７を操作すると、呼出信号が親機１に送出される。また、呼出信号を受信した親機１のＣＰＵ１３は、当該呼出が子機２からの呼出であることを認識すると、呼出音種別決定部１３１から呼出音種別データを読み出し、図２（ａ）のような第１音７１４Ｈｚ、第２音５５５Ｈｚ、第３音７１４Ｈｚ、第４音５５５Ｈｚ、となる４点打音を生成する。具体的には、図２（ｂ）に示すように第１音及び第３音はデューティ比５０％、周期１．４０ミリ秒（約１／７１４秒。以下、第１の周期と称する。）の矩形波（以下、第１の矩形波と称する。）であり、３４ミリ秒ごとに音量が漸減していくことから、図２に示す第１音及び第３音の１つの長方形には、それぞれ第１の矩形波が２４本存在することになる。
【００１９】
また、ＣＰＵ１３は、時間情報信号を取得し、呼出音量決定部１３２から当該時間に適応した呼出音量データを読み出し、昼間であれば図２のように初期値レベルを最大として設定する。
【００２０】
図３は図２に示す第１の矩形波の拡大図である。１つの第１の矩形波は低レベル部と高レベル部から構成され、高レベル部は周期１ＭＨｚ、つまり周期１マイクロ秒（＝０．００１ミリ秒。以下、第２の周期と称する。）の矩形波（以下、第２の矩形波と称する。）が複数本で構成されている。
【００２１】
この第２の矩形波のデューティ比は、呼出音量データによって決定する。たとえば、図２に示す左端の第１の矩形波の呼出音量データが最大であれば、デューティ比は１００％となり、第２の周期は意味を持たず、常に高レベルである。次に、図２に示す左から２番目の第１の矩形波の呼出音量データが最大音量の９８．４３７５％であれば、デューティ比は９８．４３７５％となり、第２の周期において高レベル部が０．９８４３７５マイクロ秒、低レベル部が０．０１５６２５マイクロ秒の矩形波を１４００本出力する。さらに、図２に示す左から２番目の第１の矩形波の呼出音量データが最大音量の９６．８７５％であれば、デューティ比は９６．８７５％となり、第２の周期において高レベル部が０．９６８７５マイクロ秒、低レベル部が０．０３１２５マイクロ秒の矩形波を同様に１４００本出力する。
【００２２】
以後、デューティ比を変化させることによって音量を漸減していく。なお、第１音及び第３音はデューティ比６５．６２５％（１００−１．５６２５×２２）で、第２音はデューティ比３９．０６２５％（１００−１．５６２５×３９）で次の音に変化するが、図２に示すように第４音は６４段階の遷移により最低レベルまで漸減するため、最終的にはデューティ比１．５６２５％まで音量が低下する。
【００２３】
なお、第２の矩形波の振幅は高レベル部、低レベル部ともにキャリア信号の整数倍（１倍を含む）となっているため、例えばキャリア信号が６４ＭＨｚであれば、ＣＰＵは０．０１５６２５マイクロ秒単位で第２の矩形波のデューティ比の変化により容易に音量を変化させることができる。また、第２の矩形波の周波数は可聴域よりもはるかに高い周波数を使用しているため、当該周波数成分が音声として聞こえることはない。
【００２４】
上記実施例は呼出時間が昼間の場合について説明を行なったが、呼出音量決定部１３２から当該時間に適応した呼出音量データを読み出し、夜間であれば初期値レベルを６ｄＢ減じたデューティ比５０％から鳴動を開始するが、その後の動作については昼間と同様である。
【００２５】
また、本実施例では玄関子機２から呼出があった場合の呼出音の鳴動を例にとって説明したが、例えば、図示しない親機１の警報発報ボタンを操作することによってセキュリティ警報等の警報音を鳴動するときも同一の回路から送出できる。この場合、ＣＰＵ１３は、呼出音種別決定部１３１から警報音の呼出音種別データを読み出し、鳴動させることができる。
【産業上の利用可能性】
【００２６】
なお、本発明ではインターホン親機が１台、玄関子機が１台となっているが、複数の親機、玄関子機があってももちろん良い。また、外部スピーカを備えた機器で呼出音を鳴動させる場合も、上述の方法を用いても良い。
【符号の説明】
【００２７】
１      親機
１１    親機マイク
１２    親機スピーカ
１３    ＣＰＵ
１３１  呼出音種別決定部
１３２  呼出音量決定部
１６    操作部
２      子機
２１    子機マイク
２２    子機スピーカ
２６    子機伝送部
２７    呼出ボタン
【図１】
2013046237.tif 000003
【図２】
2013046237.tif 000004
【図３】
2013046237.tif 000005